(57)【要約】【課題】丁合時に帳票用紙のズレを少なくし、良好な状態で丁合することのできる帳票用紙のズレの少ない丁合方法を提供する。【解決手段】複数以上の帳票用紙を繰り出して丁合する際に、帳票用紙の巻き取りから繰り出し、糊貼着装置による糊付け処理する前に、加湿装置により該帳票用紙の表面側または裏面側から水分を噴霧して加湿し、該帳票用紙を丁合することを特徴とする帳票用紙のズレの少ない丁合方法。【選択図】  図１
2005103869.tif 000002
【特許請求の範囲】
【請求項１】
複数以上の帳票用紙を繰り出して丁合する際に、帳票用紙の巻き取りから繰り出し、糊貼着装置による糊付け処理する前に、加湿装置により該帳票用紙の表面側または裏面側から水分を噴霧して加湿し、該帳票用紙を丁合することを特徴とする帳票用紙のズレの少ない丁合方法。
【発明の詳細な説明】
【技術分野】
【０００１】
本発明は、丁合時に帳票用紙のズレを少なくし、良好な状態で丁合することのできる帳票用紙のズレの少ない丁合方法に関するものである。
【背景技術】
【０００２】
市場において、種々の契約書および連絡票として帳票紙が使用されている。帳票紙は、カーボン複写用紙あるいは一般にノーカーボン用紙と呼ばれる感圧複写用紙が用いられる。近年、これらの用紙には情報の記入方式の多様化に伴い、インクジェット特性、光学読み取り適性などが付与され、その用いられ方は多様化していくと予想される。
【０００３】
この帳票紙は、一度の記入で複数枚の契約書および連絡票が作製できるという点で非常に有益であるが、必要とされる枚数が多くなればなるほど一部あたりの用紙枚数が多くなる。
【０００４】
帳票紙に供される帳票用紙は、記入方式の多様性および種々の目的を達成するために、異なる種類、坪量の帳票用紙を組み合わせるのが普通である。
【０００５】
これらの帳票用紙を作製する際、印刷後に加工用として０．５インチ毎に穴を開けるスプロケット加工、切断しやすくするためのミシン加工などが施される。
【０００６】
帳票紙を作製する際、丁合の前に予めそれぞれの帳票用紙になされる印刷には、大量に迅速に印刷できるという利点がある故にオフセット印刷が使用される。オフセット印刷は、印刷版の親水性、疎水性の特性の違いを利用して画像を形成するため、給湿液として非画線部に水が少量付与され、それがブランケットを経由して帳票用紙に付与される。この過程は、帳票用紙の伸縮性をさらに変化させるという問題点でもある。
【０００７】
丁合機は主にこのスプロケット加工した穴を基準に帳票用紙を丁合するために、上記のようなオフセット印刷を経た帳票用紙では、このスプロケット穴が該帳票用紙の伸縮によってズレを生じることから、０．５インチ毎にあるスプロケット穴に対して正確に位置しなくなって丁合作業を行う上で大きな障害であった。
【０００８】
帳票用紙の種類、配合、作業環境の影響などにより帳票用紙の伸縮性は異なり、この違いが丁合時の作業性に大きな影響を及ぼすことになる（例えば、非特許文献１参照。）。
【０００９】
オフセット印刷時における用紙のスプロケット穴を加工する方法として、印刷機の用紙テンションを制御する方法（例えば、特許文献１参照。）および自動検討調整方法などがある（例えば、特許文献２参照。）が、用紙は湿度によって伸縮するためにオフセット印刷後の丁合の過程では異なる方法が必要とされていた。
【非特許文献１】「紙・インキ・印刷の科学」増補改訂版、市川家康、印刷局朝陽会、７６〜８２頁
【特許文献１】特開平１０−１７１８６号公報
【特許文献２】特開平７−１７８８９２号公報
【発明の開示】
【発明が解決しようとする課題】
【００１０】
本発明の目的は、丁合時に帳票用紙のズレを少なくし、良好な状態で丁合することのできる帳票用紙のズレの少ない丁合方法を提供するものである。
【課題を解決するための手段】
【００１１】
本発明者は、上記に鑑み鋭意検討した結果、本発明における帳票用紙のズレの少ない丁合方法を発明するに至った。
【００１２】
すなわち、本発明の帳票用紙のズレの少ない丁合方法は、複数以上の帳票用紙を繰り出して丁合する際に、帳票用紙の巻き取りから繰り出し、糊貼着装置による糊付け処理する前に、加湿装置により該帳票用紙の表面側または裏面側から水分を噴霧して加湿し、該帳票用紙を丁合することを特徴とするものである。
【発明の効果】
【００１３】
本発明における帳票用紙のズレの少ない丁合方法は、丁合機の特定位置に加湿装置を設け、異なる伸縮性を持った帳票用紙に対して水分を付与することにより、丁合時における帳票用紙のズレを少なくし、良好な状態で丁合することができる。
【発明を実施するための最良の形態】
【００１４】
以下、本発明の帳票用紙のズレの少ない丁合方法について、詳細に説明する。
【００１５】
本発明は、予めオフセット印刷などの印刷工程を経て伸縮性の異なる複数以上の帳票用紙を丁合して帳票紙を作製する場合でも、ズレの少ない丁合ができることにある。
【００１６】
本発明において、複数以上の帳票用紙を丁合機に巻き取りとして固定し、該巻き取りから帳票用紙を繰り出し、糊付けし、重ね合わせて帳票紙とするが、各帳票用紙自体の伸縮性の違いを予め把握し、帳票用紙の巻き取りから繰り出し、糊貼着装置による糊を貼着する前に、該帳票用紙の表面側または裏面側から加湿装置により加湿調整することによって、各帳票用紙の伸縮性が調整され、スプロケット加工の穴に正確に位置することができる。
【００１７】
次に、本発明における丁合機について、図１で説明する。図１は、本発明における丁合機の実施態様の１例を示す概略図である。
【００１８】
図１において、丁合機１は、複数以上の帳票用紙２、３、４、押さえロール５、６、７、トラクター８、９、１０、糊貼着装置１１、１２、加湿装置１３、１４、１５、貼り付けロール１６から構成される。
【００１９】
ここで、本発明における加湿装置１３、１４、１５は、それぞれ帳票用紙の巻き取り２、３、４より各帳票用紙が繰り出される位置から、それぞれ押さえロール５（帳票用紙の巻き取り２から繰り出される帳票用紙は最下位置で丁合されることから糊貼着装置が不要であるため）、糊貼着装置１１、１２よりも手前に設けられる。
【００２０】
図１において、帳票用紙２、３、４は、印刷、スプロケット加工された巻き取りであり、３種類の貼り合わせる帳票用紙であって左端にある帳票用紙４は最上面に、また右端に位置する帳票用紙２は最下面に丁合される。
【００２１】
帳票用紙２、３、４は、巻き取り状態から繰り出され、押さえロール５、６、７を経由して搬送される。
【００２２】
トラクター８、９、１０は、突起状を有し、これが予め帳票用紙にスプロケット加工された穴を引っかけて各帳票用紙を搬送するものである。帳票用紙の伸縮によりスプロケット加工された穴がズレてしまうと丁合が合わなくなってしまう。
【００２３】
糊貼着装置１３、１４、１５は、帳票用紙間に糊を貼着して糊付けし、複数以上の帳票用紙を合わせて最終的な帳票紙とするものである。
【００２４】
本発明においては、帳票用紙の巻き取りから繰り出された位置から糊貼着装置までの間に、加湿装置１３、１４、１５を設け、帳票用紙それぞれに異なる縮み状態に応じて水分を付与し、該帳票用紙の伸びる特性を利用してスプロケット穴の正確に嵌合できるように加湿調整を行う。
【００２５】
このようにして伸縮が調整された各帳票用紙は、貼り付けロール１６を経て加圧されることにより各帳票用紙同士が貼り付けられ、最終的にズレを生じない帳票紙１７として作製される。
【００２６】
本発明において、加湿装置に用いられる加湿方式としては、特開平２００２−０２２２１７号公報に開示される超音波噴霧方式、特開平２００１−３３６７９１号公報に開示される加熱沸騰噴霧方式、あるいはロールコート方式など既知の加湿方式であればすべて可能である。
【００２７】
帳票用紙への加湿について、加湿装置としては家庭用の加湿器でも構わないが、図２に示すような加湿装置を１例として示す。図２は、本発明における加湿装置の実施態様の１例を示す概略図である。図２において、加湿装置２１は、本体に水分を導入する水分導入管２２、幅方向に多数穿孔された水分を噴霧する水分噴霧孔２３を備えた構成からなる。図２より、上記の超音波噴霧方式や加熱沸騰噴射方式によって気化された水分は、水分導入管２２から加湿装置２１本体に満たされ、水分噴霧孔２３より帳票用紙の表面または裏面側の全幅に対して水分が噴霧され、全幅均一に帳票用紙の縮みが調整される。
【００２８】
加湿装置による水分の付与については、帳票用紙に水分を付与した場合、伸びるという特性を利用することにあり、縮む傾向のある帳票用紙にとって大いに効果的な方法である。なお、帳票用紙に水分を付与する際、図１では該帳票用紙の裏面側から加湿する例で示したが、表面、裏面のいずれ側から加湿してもよく、何ら限定するものではない。
【００２９】
帳票用紙の伸び縮みは、該帳票用紙のテンションにも影響するために、好ましくは付与される水分の量は、特開２００１−２０１１４５号公報、特開平１１−２４８２０５号公報に開示されているような方法により、自動あるいは手動で調整できる装置があることが望ましい。また、使用する帳票用紙によっては丁合時にスプロケット穴が揃っている可能性があるため、水分を付与する装置の可動または停止を適宜選択できることが望ましい。
【００３０】
さらに、帳票用紙に付与される水分の量は、帳票用紙に付与し、蒸発した後に該帳票用紙の波打ちが生じない程度にすることが望ましい。
【００３１】
用紙に水分を付与する場合に、家庭用の加湿器でも構わないが、好ましくは図２に示すように用紙の幅方向に対して均一に水分を付与するのが好ましい。図２について１２は用紙に対して水分を付与する装置である。１３より超音波噴霧方式、加熱沸騰噴射方式により気化された水分が水分を付与する装置に付与される。１４より用紙の全幅に対して水分が付与され、用紙の全幅均一に用紙の縮みが調整される。
【産業上の利用可能性】
【００３２】
本発明は、カーボン複写用紙、感圧複写用紙など種々の帳票用紙に対してズレの少ない帳票紙を作製する丁合方法に適用できる。
【図面の簡単な説明】
【００３３】
【図１】本発明における丁合機の実施態様の１例を示す概略図である。
【図２】本発明における加湿装置の実施態様の１例を示す概略図である。
【符号の説明】
【００３４】
１  丁合機
２、３、４  用紙の巻き取り
５、６、７  押さえロール
８、９、１０  トラクター
１１、１２  糊貼着装置
１３、１４、１５  加湿装置
１６  貼り付けロール
１７  帳票紙
２１  加湿装置
２２  水分導入管
２３  水分噴霧孔
【図１】
2005103869.tif 000003
【図２】
2005103869.tif 000004